(57)【要約】      （修正有）【課題】  製造および特性調整が容易な有極形帯域通過フィルタを得る。【解決手段】  分布定数線路を用いて形成した複数の共振器と、前記分布定数線路との電気的接続により信号を入出力する分布定数線路を用いて形成した入出力手段とを備えて構成し、有極形帯域通過フィルタの通過域中心周波数にて約１／４波長の長さとなる２つの線路のそれぞれの一端を接地し、他端の開放端同士を対向配置してキャパシタンスを発生させることにより形成される共振器となる第１の線路構成と、前記有極形帯域通過フィルタの通過域中心周波数にて約１／２波長の長さとなる両端開放線路の長さ方向の中央位置を接地してインダクタンスを発生させることにより形成される共振器となる第２の線路構成とを平面上に交互に平行配置し、端部に配置された前記第１の線路構成または第２の線路構成と前記入出力手段を電気的接続した。【選択図】  図１
2006121191.tif 000002
【特許請求の範囲】
【請求項１】
分布定数線路を用いて形成した複数の共振器と、前記分布定数線路との電気的接続により信号を入出力する分布定数線路を用いて形成した入出力手段とを備えて構成した有極形帯域通過フィルタであって、前記有極形帯域通過フィルタの通過域中心周波数にて約１／４波長の長さとなる２つの線路のそれぞれの一端を接地し、他端の開放端同士を対向配置してキャパシタンスを発生させることにより形成される共振器となる第１の線路構成と、前記有極形帯域通過フィルタの通過域中心周波数にて約１／２波長の長さとなる両端開放線路の長さ方向の中央位置を接地してインダクタンスを発生させることにより形成される共振器となる第２の線路構成とを平面上に交互に平行配置し、端部に配置された前記第１の線路構成または第２の線路構成と前記入出力手段を電気的接続したことを特徴とする有極形帯域通過フィルタ。
【請求項２】
請求項１記載の有極形帯域通過フィルタにおいて、前記分布定数線路として同軸線路の外導体に相当する金属筐体およびその内部に収納した同軸線路の内導体に相当する導体線路からなる同軸線路形式を用いて前記第１の線路構成および第２の線路構成を形成し、前記第１の線路構成を形成するそれぞれの導体線路の一端を前記金属筐体に接続して接地し、前記第２の線路構成を形成する導体線路の長さ方向の中央位置に金属ポストを設けて前記金属筐体に接地したことを特徴とする有極形帯域通過フィルタ。
【請求項３】
請求項２記載の有極形帯域通過フィルタにおいて、前記入出力手段、前記第１の線路構成および前記第２の線路構成のそれぞれに代えて、前記入出力端に導体線路の径を大きくして形成した低インピーダンス線路部を有する入出力手段、一端に導体線路の径を大きくして形成した低インピーダンス線路部を有し、前記有極形帯域通過フィルタの通過域中心周波数にて１／４波長未満の長さの２つの線路のそれぞれの他端を接地し、前記低インピーダンス線路部の端同士を対向配置してキャパシタンスを発生させることにより形成される共振器となる第１の線路構成、導体線路の径の大きくして形成した低インピーダンス線路部を両端に有し、前記有極形帯域通過フィルタの通過域中心周波数にて１／２波長未満の長さの両端開放線路の長さ方向の中央位置を接地してインダクタンスを発生させることにより形成される共振器となる第２の線路構成を備えたことを特徴とする有極形帯域通過フィルタ。
【請求項４】
請求項２又は請求項３記載の有極形帯域通過フィルタにおいて、前記第１の線路構成の少なくとも１つにおける導体線路の対向配置された開放端同士の間隙位置に挿入され、前記金属筐体に接続して設けられた第１の挿入長可変手段と、前記第２の線路構成の少なくとも１つにおける導体線路の両端と前記金属筐体との間隙のそれぞれに挿入され、前記金属筐体に接続して設けられた第２の挿入長可変手段とを備えたことを特徴とする有極形帯域通過フィルタ。
【請求項５】
請求項１記載の有極形帯域通過フィルタにおいて、前記分布定数線路として誘電体基板の一方の面に形成した地導体パターンと他方の面に形成した導体パターンからなるマイクロストリップ線路形式を用いて前記第１の線路構成および第２の線路構成を形成し、前記第１の線路構成ではそれぞれの導体パターンの一端にスルーホールを設けて前記地導体パターンに接続して接地し、前記第２の線路構成では導体パターンの長さ方向の中央位置にスルーホールを設けて前記地導体パターンに接続して接地したことを特徴とする有極形帯域通過フィルタ。
【請求項６】
請求項５記載の有極形帯域通過フィルタにおいて、前記入出力手段、前記第１の線路構成および前記第２の線路構成のそれぞれに代えて、前記入出力端に導体パターンの幅を広げて形成した低インピーダンス線路部を有する入出力手段、一端に導体パターンの幅を広げて形成した低インピーダンス線路部を有し、前記有極形帯域通過フィルタの通過域中心周波数にて１／４波長未満の長さの２つの線路のそれぞれの他端を接地し、前記低インピーダンス線路部の端同士を対向配置してキャパシタンスを発生させることにより形成される共振器となる第１の線路構成、導体パターンの幅を広げて形成した低インピーダンス線路部を両端に有し、前記有極形帯域通過フィルタの通過域中心周波数にて１／２波長未満の長さの両端開放線路の長さ方向の中央位置を接地してインダクタンスを発生させることにより形成される共振器となる第２の線路構成を備えたことを特徴とする有極形帯域通過フィルタ。
【請求項７】
請求項２、３又は４記載の有極形帯域通過フィルタにおいて、前記第２の線路構成の中央位置に関して線対称に構成し、前記第２の線路構成の中央位置における前記有極形帯域通過フィルタの対称面に前記金属筐体に接続された金属板を設けたことを特徴とする有極形帯域通過フィルタ。
【請求項８】
請求項５又は請求項６記載の有極形帯域通過フィルタにおいて、前記第２の線路構成の中央位置に関して線対称に構成し、前記第２の線路構成の中央位置における前記有極形帯域通過フィルタの対称面に前記地導体パターンに接続されたスルーホールを設けたことを特徴とする有極形帯域通過フィルタ。
【発明の詳細な説明】
【技術分野】
【０００１】
この発明は、減衰量が極大値を呈する減衰極を通過域近傍に有する、有極形帯域通過フィルタに関するものである。
【背景技術】
【０００２】
従来の有極形帯域通過フィルタにおいては、減衰極の形成に必要な非隣接共振器間の結合を得るために、ＴＥＭ線路からなる共振器を２層に配置し、層間に結合窓を設けていた（例えば、非特許文献１参照）。
【０００３】
図６に上記非特許文献１にある従来の有極形帯域通過フィルタの構成説明図を示す。図中、１１０は２つの層を有する誘電体基板で、その層間および一部の側面には地導体１０７が設けられている。線路１０１、１０２、１０３、１０４はフィルタの通過中心周波数にて長さ約１／４波長となる共振回路であり、上記誘電体基板の側面の地導体１０７に接続されてその一端が接地されたコムラインフィルタとなっている。また、線路１０１と１０４には線路１０５が接続され入出力端子を構成している。ここで線路１０１と１０２、また線路１０３と１０４はある程度近接しており互いに磁界結合している。さらに、誘電体基板の層間の地導体１０７に設けられた結合窓１０６ａ、１０６ｂにより線路１０１と１０４、線路１０２と１０３はそれぞれ電界結合、磁界結合している。
【０００４】
また、図７には上記フィルタの等価回路およびその通過特性を示す。共振器間の結合を表すＪインバータＪ１２、Ｊ２３、Ｊ３４、Ｊ１４のうち、Ｊ２３とＪ１４を互いに異符号とし、かつ、｜Ｊ１４｜<<｜Ｊ２３｜とすることで減衰域にて通過位相が互いに逆相となり相殺されるような２つの信号経路が形成され、通過特性に減衰極を有する有極特性を呈する。なお、このときＪ２３、Ｊ１４以外の符号は不問である。前述した磁界結合、電界結合は互いに異符号のＪインバータとして動作することから、図６のフィルタは有極形帯域通過フィルタとなる。
【０００５】
【非特許文献１】国際学会ＩＥＥＥ  １９９３  ＭＴＴ−Ｓ  Ｉｎｔｅｒｎａｔｉｏｎａｌ  Ｍｉｃｒｏｗａｖｅ  Ｓｙｍｐｏｓｉｕｍ  Ｄｉｇｅｓｔ、“Ｄｕａｌ−Ｐｌａｎｅ  Ｃｏｕｐｌｅｄ−Ｌｉｎｅ  Ｍｉｃｒｏｗａｖｅ  Ｆｉｌｔｅｒ”
【発明の開示】
【発明が解決しようとする課題】
【０００６】
従来の有極形帯域通過フィルタにおいては、共振器を誘電体基板の２つの異なる層に配置するためその製造が容易でなく、また基板両面に信号線が配置されるために同フィルタを金属筐体に実装する場合にやや困難が伴うという問題があった。さらに、フィルタ製造後に結合窓を調整することが極めて困難なため、結合量を調整してフィルタの特性を調整することができないという問題もあった。
【０００７】
この発明は上記の問題点を解決するためになされたもので、全ての共振器を同一面上に配置して減衰極を形成する手段を供することにより、製造および特性調整が容易な有極形帯域通過フィルタを提供するものである。
【課題を解決するための手段】
【０００８】
この発明に係る有極形帯域通過フィルタは、分布定数線路を用いて形成した複数の共振器と、前記分布定数線路との電気的接続により信号を入出力する分布定数線路を用いて形成した入出力手段とを備えて構成した有極形帯域通過フィルタであって、前記有極形帯域通過フィルタの通過域中心周波数にて約１／４波長の長さとなる２つの線路のそれぞれの一端を接地し、他端の開放端同士を対向配置してキャパシタンスを発生させることにより形成される共振器となる第１の線路構成と、前記有極形帯域通過フィルタの通過域中心周波数にて約１／２波長の長さとなる両端開放線路の長さ方向の中央位置を接地してインダクタンスを発生させることにより形成される共振器となる第２の線路構成とを平面上に交互に平行配置し、端部に配置された前記第１の線路構成または第２の線路構成と前記入出力手段を電気的接続したものである。
【発明の効果】
【０００９】
この発明は、前記第１の線路構成および第２の線路構成を用いて有極形帯域通過フィルタを構成しており、全ての約１／４波長線路でなる共振器を同一面上に配置して構成でき、製造が容易であり、また、製造誤差などに伴い必要となる特性の調整も容易に行うことができる有極形帯域通過フィルタを得られる効果がある。
【発明を実施するための最良の形態】
【００１０】
実施の形態１．
図１はこの発明の実施の形態１による有極形帯域通過フィルタの構成を示す構成説明図である。この実施の形態１では、同軸線路形式による有極形帯域通過フィルタの構成例について説明する。図１の構成説明図では、上面図と側面図および対称面での断面図により有極形帯域通過フィルタの構成を説明しており、１はフィルタの収納に供すると共に同軸線路の外導体に相当する地導体となる直方体の金属筐体である。同軸線路の内導体に相当する導体でなる導体線路２、３は、フィルタの通過域中心周波数にてその長さが各々約１／４波長、１／２波長となるもので、同軸線路共振器として動作する。２つの導体線路２は、それぞれその一端が金属筐体１に接続されることで接地され、もう一端の開放端同士を互いに近接させることで両線路間に容量成分を発生させている。また、２つの導体線路２は、それぞれ同軸線路の内導体に相当する導体線路６を介して金属筐体１に設けた同軸コネクタ７と接続され、同軸コネクタ７はフィルタの入出力端子となる。金属ポスト４は導体線路３の長さ方向の中央位置に設けられ、金属筐体１の上下面に対して垂直方向に延在し、金属筐体１の上面と下面（上面又は下面のいずれか一方でも良い）に接続されており、導体線路３の中央部が接地されている。金属筐体１内に挿入されたねじ５ａは、導体線路２の共振周波数および互いの線路間に生じる容量値を調整するためのもので、ねじ５ｂは導体線路３の共振周波数を調整するためのものである。ねじ５ａ、ねじ５ｂの材質は金属でも誘電体でも効果は得られる。なお、誘電体ねじを用いると耐電力特性が向上する。
【００１１】
ここでは、導体線路２、３などを、金属ポスト４の設置位置に関して線対称に配置し、本願発明を適用した対称構造のフィルタを構成する場合を例示して説明するが、本願発明は非対称構造のフィルタでも適用可能で、同様の効果を奏する有極形帯域通過フィルタを実現できるものである。なお、非対称構造とした場合は、フィルタの設計が非常に煩雑となる欠点はあるが、帯域通過フィルタの高域減衰特性が改善される効果が期待できる。
【００１２】
また、ここでは、金属板８を導体線路２、３などと接触しないように、導体線路２、３の近傍を除くフィルタの対称面位置に設けた場合を例示して説明する。金属板８を設けることにより、特性劣化の要因となる不要共振器間の結合が抑圧される効果が期待できるが、金属板８を用いない構成としても実現できるものである。
【００１３】
次に、この発明の実施の形態１による有極形帯域通過フィルタの動作について説明する。まず、図１において、フィルタの対称面に設けられた金属板８が、フィルタを完全に２つの部分に仕切るように対称面全体を覆ったと仮定した場合の等価回路を図２に示す。この場合、金属板８は接地導体となる。導体線路２、３は共にフィルタの通過中心周波数にて長さ約１／４波長のいわゆる１／４波長共振回路となり、Ｊインバータを介して結合する２つの並列共振回路と等価となる。また、導体線路６は、入出力端子７とフィルタ内の共振回路を結ぶＪインバータＪｉ１、Ｊ４ｏと見なすことができる。しかし、共振回路（Ｃ２、Ｌ２）と（Ｃ３、Ｌ３）の間、および（Ｃ１、Ｌ１）と（Ｃ４、Ｌ４）の間は金属板８により完全に遮断されるため、入出力端子間を結ぶ信号経路は存在せず、図２の回路の通過量は０となる。すなわち、図２におけるＪ１４＝０、Ｊ２３＝０となる。
【００１４】
また、図１に示した実施の形態１の構成は、上記の仮定において導体線路２、３の近傍の金属板８を除去し、導体線路３に対して金属ポスト４を付加したものと見なすことができる。互いの開放端が対向した導体線路２は、その開放端に生じる電界を介して結合する２つの１／４波長共振回路となり、また金属ポスト４はインダクタンスを有する誘導性素子として動作することから、線路３はインダクタを介して磁界結合する２つの１／４波長共振回路と見なすことができる。図３にはそれらの等価回路を、その対称性を考慮した偶、奇モード回路と併せて示す。図中、θは線路の電気長で、線路を伝搬する電磁波の遅延時間τとその角周波数ωの積となり、フィルタの中心周波数でθ≒π／２［ｒａｄ］となる。
ここで、対称構造を有する２つの共振回路の結合係数ｋは、その偶、奇モード共振周波数ωｅ、ωｏにより
ｋ＝（ωｅ２−ωｏ２）／（ωｅ２＋ωｏ２）
により定義され、
図３（ａ）において、まず偶モード時を考えると、明らかに共振条件は
【００１５】
【数１】
2006121191.tif 000003
であるので
【００１６】
【数２】
2006121191.tif 000004
となる。
一方、奇モード時を考えるとその共振条件は
【００１７】
【数３】
2006121191.tif 000005
となる。ここで、
【００１８】
【数４】
2006121191.tif 000006
であり、またωｏ≒ωｅで結合係数ｋが微小であると仮定し
【００１９】
【数５】
2006121191.tif 000007
であるとして式(4a)、(4b)を式(3)に代入すると
【００２０】
【数６】
2006121191.tif 000008
が得られる。ここでtan(α+β)をtanαとtanβに展開する公式、およびtan(ωeτ)=∞（式(2)より）となることを用いて式(5)を展開すると
【００２１】
【数７】
2006121191.tif 000009
となり、tan(Δωτ)≒Δωτとすると同式より
【００２２】
【数８】
2006121191.tif 000010
となることから式(4b)より
【００２３】
【数９】
2006121191.tif 000011
となる。
式(8)を結合係数の表現式
【００２４】
【数１０】
2006121191.tif 000012
に代入すると
【００２５】
【数１１】
2006121191.tif 000013
が得られ、明らかにka>0となる。
なお、図３(b)の奇モード時においては、式(9)、(10)においてωeとωo、(C,Y)と(L,Z)の置換を施すことで結合係数kbの表現式が得られ、式(9)にてωeとωoの置換を施すことで符号が反転しkb<0となる。
以上のことから、ｋａとｋｂは互いに異符号となる。前出のＪインバータにおけるＪ値は正の実定数を比例定数として結合係数ｋと比例関係にあるため、実施の形態１の帯域通過フィルタは前記背景技術の説明の図７に示す互いに異符号のＪインバータからなる有極形帯域通過フィルタと等価となり、有極特性を呈する。
【００２６】
このように、２つの１／４波長共振回路の開放端を近接させて得られる電界結合、および２つの１／４波長共振回路を共通のインダクタンス素子を介して接地させることで得られる磁界結合、を併用して帯域通過フィルタを構成することにより、従来の有極形帯域通過フィルタ同様、互いに異なる極性の共振器間結合を実現し、減衰極を形成することができる。
【００２７】
この場合、同軸線路の内導体となる全ての１／４波長導体線路でなる共振器は同一面上に配置されることから、従来の多層構造の有極形帯域通過フィルタとは異なり、その製造が容易となり、また製造誤差などに伴い必要となる共振器間結合量の調整も容易に行うことができる。
【００２８】
なお、以上では２つの１／４波長共振回路の開放端を近接させて得られる電界結合、および２つの１／４波長共振回路を共通のインダクタンス素子を介して接地させることで得られる磁界結合の２種類の構成要素をそれぞれ１つずつ用いて交互に配置して構成した有極形帯域通過フィルタを例示して説明したが、これに限らず上記２種類の構成要素を交互に配置して多段の構成にしても同様に有極形帯域通過フィルタが得られ、多段にすることにより急峻で帯域外の減衰量の大きいフィルタ特性が実現できる。
また、以上では２つの１／４波長共振回路の開放端を近接させて得られる電界結合の構成要素と導体線路６を接続して構成した有極形帯域通過フィルタを例示して説明したが、これに限らず、２つの１／４波長共振回路を共通のインダクタンス素子を介して接地させることで得られる磁界結合の構成要素と導体線路６を接続した構成にしても同様に有極形帯域通過フィルタが得られる。
【００２９】
実施の形態２．
図４はこの発明の実施の形態２による有極形帯域通過フィルタの構成を示す構成説明図である。図４の構成説明図はマイクロストリップ線路形式であり、誘電体基板１１はその裏面に地導体となる全面導体が設けられており、その表面に導体で形成した線路パターン（導体パターン）によりマイクロストリップ線路が形成される。２つの線路パターン１２のそれぞれは、フィルタの通過域中心周波数で長さが約１／４波長であり、その一端はスルーホール１４ｂを介して裏面導体に接地され、もう一端の開放端を互いに近接させることで両線路間に容量成分を発生させている。また、線路パターン１３はフィルタの通過域中心周波数で長さ約１／２波長であり、一定量のインダクタンスを有するスルーホール１４ａを介してその長さ方向の中央位置で接地されている。これらの線路１２、１３は実施の形態１での説明と同様にしていずれも共振回路として動作する。また、２つの線路パターン１５は、それぞれその一端が入出力端子となっており、共振回路を形成する線路パターン１３に近接配置され、線路１３との間で電磁結合が生じ、入出力端子とフィルタ内の共振回路を結合させる役割を果たす。
【００３０】
次に、この発明の実施の形態２による有極形帯域通過フィルタの動作について説明する。実施の形態２による有極形帯域通過フィルタは、実施の形態１において同軸線路形式をマイクロストリップ線路形式に、誘導性の金属ポスト４をスルーホール１４ａにそれぞれ置換した構成に相当するものである。また、入出力端子とフィルタ内共振回路の結合手段として、導体線路６による直接的な結線に代えて、線路１３と線路１５からなる結合線路による電磁結合としたものである。従って、実施の形態１での説明と同様にして、実施の形態２による有極形帯域通過フィルタの等価回路もまた図７のようになり、減衰極を有する有極特性を呈する。
【００３１】
このように、２つの１／４波長共振回路の開放端を近接させて得られる電界結合、および２つの１／４波長共振回路を共通のスルーホールを介して接地させることで得られる磁界結合、を併用して帯域通過フィルタを構成することにより、従来の有極形帯域通過フィルタ同様、互いに異なる極性の共振器間結合を実現し、減衰極を形成することができる。
【００３２】
この場合、全ての１／４波長マイクロストリップ線路でなる共振器は同一面上に配置されることから、従来の多層構造の有極形帯域通過フィルタとは異なり、その製造が容易となり、また製造誤差などに伴い必要となる共振器間結合量の調整も容易に行うことができる。
【００３３】
なお、以上では２つの１／４波長共振回路の開放端を近接させて得られる電界結合、および２つの１／４波長共振回路を共通のインダクタンス素子を介して接地させることで得られる磁界結合の２種類の構成要素をそれぞれ１つずつ用いて交互に配置して構成した有極形帯域通過フィルタを例示して説明したが、これに限らず上記２種類の構成要素を交互に配置して多段の構成にしても同様に有極形帯域通過フィルタが得られ、多段にすることにより急峻で帯域外の減衰量の大きいフィルタ特性が実現できる。
また、以上では入出力端子とフィルタ内共振器の結合手段として、２つの１／４波長共振回路を共通のインダクタンス素子を介して接地させることで得られる磁界結合の構成要素の線路１３と線路１５からなる結合線路による電磁結合として構成した有極形帯域通過フィルタを例示して説明したが、これに限らず、２つの１／４波長共振回路の開放端を近接させて得られる電界結合の構成要素の線路１２と線路１５からなる結合線路による電磁結合とした構成にしても同様に有極形帯域通過フィルタが得られる。
【００３４】
実施の形態３．
図５はこの発明の実施の形態３による有極形帯域通過フィルタの構成を示す構成説明図である。図５の構成説明図はマイクロストリップ線路形式であり、誘電体基板２１はその裏面に地導体となる全面導体が設けられており、その表面の導体で形成した線路パターン（導体パターン）によりマイクロストリップ線路が形成される。線路パターン２２と線路２２より低いインピーダンスの幅の広い線路パターン２２ｂからなる２つの線路のそれぞれは、長さがフィルタの通過域中心周波数で１／４波長未満であり、線路パターン２２の一端はスルーホール２４ｂを介して裏面導体に接地され、線路パターン２２ｂの開放端を互いに近接させることで両線路間に容量成分を発生させている。また、線路パターン２３とその両端に形成された線路２３より低いインピーダンスの幅の広い線路パターン２３ｂからなる線路は、全長がフィルタの通過域中心周波数で１／２波長未満であり、一定量のインダクタンスを有するスルーホール２４ａを介してその長さ方向の中央位置で接地されている。ここでは共振器を形成する線路の線路幅を変化させたので、共振器長を１／４波長未満に短縮でき、長さ１／４波長未満でも実施の形態２での説明と同様にしていずれも共振回路として動作する。また、線路パターン２５と線路２５より低いインピーダンスの幅の広い線路パターン２５ｂからなる線路は、それぞれその一端が入出力端子となっており、線路２２と線路２２ｂからなる共振回路として動作する線路の一端の線路２２ｂに接続され、入出力端子とフィルタ内の共振回路を結ぶ役割を果たす。
【００３５】
次に、この発明の実施の形態３による有極形帯域通過フィルタの動作について説明する。この実施の形態３では、実施の形態２で説明した構成において、入出力端子とフィルタ内共振回路の結合手段として線路１３と線路１５からなる結合線路による電磁結合に代えて、線路２５による直接的な結線を用いるとともに、線路の一部を低インピーダンス線路とした共振回路を構成する線路２２と線路２２ｂからなる線路、および、線路２３と線路２３ｂからなる線路としたものであり、動作は実施の形態１および実施の形態２での説明と同様である。従って、この実施の形態３による有極形帯域通過フィルタは、実施の形態２と同様に全ての共振回路が同一面上に位置すると共に、電界結合および磁界結合により互いに結合する共振回路を含むことから有極特性を呈し、従来の多層構造の有極形帯域通過フィルタとは異なり、その製造が容易となり、また製造誤差などに伴い必要となる共振器間結合量の調整も容易に行うことができる。
【００３６】
なお、以上では２つの長さがフィルタの通過域中心周波数で１／４波長未満の線路でなる共振回路の開放端を近接させて得られる電界結合、および、２つの長さがフィルタの通過域中心周波数で１／４波長未満の共振回路を共通のインダクタンス素子を介して接地させることで得られる磁界結合の２種類の構成要素をそれぞれ１つずつ用いて交互に配置して構成した有極形帯域通過フィルタを例示して説明したが、これに限らず上記２種類の構成要素を交互に配置して多段の構成にしても同様に有極形帯域通過フィルタが得られ、多段にすることにより急峻で帯域外の減衰量の大きいフィルタ特性が実現できる。
【００３７】
また、以上では２つの長さがフィルタの通過域中心周波数で１／４波長未満の線路でなる共振回路の開放端を近接させて得られる電界結合の構成要素と線路２５を接続して構成した有極形帯域通過フィルタを例示して説明したが、これに限らず、２つの長さがフィルタの通過域中心周波数で１／４波長未満の共振回路を共通のインダクタンス素子を介して接地させることで得られる磁界結合の構成要素と線路２５を接続した構成にしても同様に有極形帯域通過フィルタが得られる。
【００３８】
さらに、この実施の形態３に示した構成によれば、含まれる低インピーダンス線路は裏面に設けられた地導体とのキャパシタンスを増加させることから、共振回路の共振周波数を低下させる効果を有する。従って、この実施の形態３による有極形帯域通過フィルタでは実施の形態２による有極形帯域通過フィルタに比べて共振回路の小型化を図ることができる。また、低インピーダンス線路により地導体との間に生じるキャパシタは低域通過、すなわち高域阻止特性を有するため、実施の形態２による有極形帯域通過フィルタに比べ、フィルタ減衰域高域側に生じるスプリアス応答を抑圧する機能に優れる。
【００３９】
ここでは図５のマイクロストリップ線路形式の有極形帯域通過フィルタを例示して説明したが、これに限らず、実施の形態１で示した同軸線路形式のフィルタにおいても、導体線路２、導体線路３、導体線路６の径を大きくして低インピーダンス線路部を形成すれば同様に適用できる。
【００４０】
なお、実施の形態２および実施の形態３においても、実施の形態１で示した金属板８に代えて、フィルタの対称面位置に、誘電体基板にスルーホールを複数並べて形成した金属板相当の構成を設けることにより、特性劣化の要因となる不要共振器間の結合が抑圧される効果が期待できる。
【図面の簡単な説明】
【００４１】
【図１】この発明の実施の形態１による有極形帯域通過フィルタの構成を示す構成説明図である。
【図２】この発明の実施の形態１による有極形帯域通過フィルタの動作を説明するための回路図である。
【図３】この発明の実施の形態１による有極形帯域通過フィルタの動作を説明するための回路図である。
【図４】この発明の実施の形態２による有極形帯域通過フィルタの構成を示す構成説明図である。
【図５】この発明の実施の形態３による有極形帯域通過フィルタの構成を示す構成説明図である。
【図６】従来の有極形帯域通過フィルタの構成を示す構成説明図である。
【図７】従来の有極形帯域通過フィルタの等価回路と通過特性を示す説明図である。
【符号の説明】
【００４２】
１  金属筐体、２、３、６  導体線路、４  金属ポスト、５ａ、５ｂ  ねじ、７  同軸コネクタ、８  金属板、１１、２１、１１０  誘電体基板、１２、１３、１５、２２、２３、２５  線路パターン（線路）、２２ｂ、２３ｂ、２５ｂ  低インピーダンス線路パターン（低インピーダンス線路）、１０１、１０２、１０３、１０４、１０５  線路、１４ａ、１４ｂ、２４ａ、２４ｂ  スルーホール、１０６ａ、１０６ｂ  結合窓、１０７  地導体。
【図１】
2006121191.tif 000014
【図２】
2006121191.tif 000015
【図３】
2006121191.tif 000016
【図４】
2006121191.tif 000017
【図５】
2006121191.tif 000018
【図６】
2006121191.tif 000019
【図７】
2006121191.tif 000020